(57)【要約】【課題】従来の技術には計量カップやスプーンを工夫して容易に計量できるようにした物や空気孔のついた計量容器に注入用と排出用の管を設けた物や容器に計量器を取り付けて計量する物があるがいずれも従来と計量の仕方が大きく変わらない又正確に測れない更に量の調節が難しい等の問題がある。【解決手段】一般に使用されている容器の上端に固着できる蓋体で蓋体は略Ｕ字状の通路が形成され、容器を水平に載置した際に通路先端部に一定容量の空間が形成され、形成された空間に複数の目盛りを設けると共に通路先端部の空間を動かす事により液体、又は粉体等の計量を容易にした。【選択図】図１
2008044670.tif 000002
【特許請求の範囲】
【請求項１】
容器の上端に固着できる蓋体であって蓋体は略Ｕ字状の通路が形成され、容器を水平に載置した際に通路先端部に一定容量の空間が形成され、通路最終端に着脱自在の栓を形成すると共に略Ｕ字状の通路の上方に空気孔を形成し、この空気孔に空気量調節用の蓋を装着した事を特徴とする計量器付きの蓋。
【請求項２】
蓋体の外側にキャラクター、人形、動物等の装飾物を固定すると共に計量部は透明もしくは半透明に形成された請求項１記載の計量器付きの蓋。
【請求項３】
可動部下壁の高さで最大量になる通路先端部の一定容量の空間に複数の目盛を設けると共に通路先端部を動かせる事により測定を容易にした請求項１もしくは２記載の計量器付きの蓋
【発明の詳細な説明】
【技術分野】
【０００１】本発明は調味料、つゆ、油やコーヒー等の食料品を保存する容器の蓋に関する。
詳しくは使用の際に一定量だけ出せる様な計量器を付けた蓋に関する。
【背景技術】
【０００２】一般に行われている計量方法としては計量スプーン又は計量カップに流動体を移しかえて計量をしているのが通常である。この方法は蓋を取った容器を片手に持ち、準備した計量スプーン又は計量カップを反対の手に持って計量するのが普通である。
従来の計量の技術には計量カップに大さじ、中さじ、小さじのメモリを付けてカップが一つあれば大さじでは３杯分、中さじでは５杯分、小さじでは１０杯分の量を測定できるように工夫を施した物がある。（例えば特許文献１参照）
又、大さじと小さじの柄に穴を開けて２つの柄をボルトとナットで固定して計量スプーンを持ち替えなくても測定が出来る様に工夫をした物がある。（例えば特許文献２参照）
又、計量スプーンの柄に開けた穴を容器の突起部に嵌る事でスプーンを容器に固定した物がある。（例えば特許文献３参照）
又、スプーンに段差をつけて段差に底板をいれて量を調節して使用するスプーンがある。（例えば特許文献４参照）
又、空気孔のついた計量容器に２本の管を取りつけて計量するものがあり、管の一本は容器を傾ける事により容器内の液体が管を通って計量容器に入る為の物で入った液体は管の先が液体で塞がれると止まる。そして、容器を傾けた反対に傾けると２本目の管により計量容器の外部に排出される仕組みとした物がある。（例えば特許文献５参照）
又、容器本体に計量器部分を接続して容器の中味が移動できる通り道を作り計量器部分の底に出口と蓋を設けた物とこれらを蓋として使用した物がある。（例えば特許文献６参照）
又、容器に計量器を装着して薬液等を計量器に移動させ計量器上部より押圧して出口の蓋を自在に開閉させて量を決める物がある。（例えば特許文献７参照）
【特許文献１】  特開２００５−１０４５８３
【特許文献２】  特開平１１−８３５９２
【特許文献３】  特開２００１−１５８４６５
【特許文献４】  特開平８−１１４４８３
【特許文献５】  実用新案登録第３１２２１９０
【特許文献６】  実開平５−４６７８５
【特許文献７】  特開２００１−１１４３１５
【発明の開示】
【発明が解決しようとする課題】
【０００３】上記記載の先例技術には計量カップで大さじ、中さじ、小さじを兼ねる物があるが小さじはもとより大さじの量も量に対してカップが大きい、そしてカップを手にすると傾く等があり計り難い。
又大さじと小さじをボルトとナットで固定した物は一般に行われている片手に容器、片手にスプーンと言う方法とあまり変わらない。
又スプーンの柄に開けた穴を容器の突起に嵌めて固定するのは決まった容器でしか使用が出来ない。
又、スプーンの段差を利用して底板を嵌めて計測をするのは底板の取り扱いが面倒であると同時に汚れた底板を置く場所が必要であり取り扱いに手も汚れる。
又、計量容器より２本の管を利用して注入、排出するのは容器の傾きの度合いによって注入圧が高くなり目的とする以上の液体がはいる可能性がある。排出も底まできれいに出ない、そして注入した量によっては空気孔からも出る事が考えられると言う問題点がある。
又、容器に計量器部分を接続して計量する物もあるが容器自体に計量器部分が接続してあるので使用する時は中味を移し替える手間が必要で零れる可能性もある。これを蓋にすると一定容器の使用に限定される、容器での使用も蓋のみの使用も計量器に入れすぎた場合、全体を９０度以上傾けるので容器の中味も上端に移動して調節が難しいと共に最大量が通り道から低いので計量が決まりにくい、更に空気孔がないので中味の移動がスムースでない。
又、容器より計量器に移動した薬液を計量器上部のスプリングを利用して下部の蓋を自在に開閉させて測定する物もあるが慣れないと調節が難しい事があると思われると共に容器から計量器に薬液を移動させるには散霧器に固定された容器を外す必要があり手間である。
【課題を解決するための手段】
【０００４】前記課題を達成するために容器の上端に固着できる蓋体であって蓋体は略Ｕ字状の通路が形成され、容器を水平に載置した際に通路先端部に一定容量の空間が形成され、通路最終端に着脱自在の栓を形成すると共に略Ｕ字状の通路の上方に空気孔を形成し、この空気孔に空気量調節用の蓋を装着した物である。【０００５】蓋体の外側にキャラクター、人形、動物の装飾物を固定すると共に計量部は透明もしくは半透明に形成した物である。【０００６】可動部下壁の高さで最大量になる通路先端部の一定容量の空間に複数の目盛を設けると共に通路先端部を動かせる事により測定を容易にした物である。
【発明の効果】
【０００７】容器に直接計量器の付いた蓋を付ける事が出来るので計量スプーンや計量カップを準備する必要がない。【０００８】購入時の液体又は粉の入っている容器に、直接付けられるので移し替える手間が要らないと共に容器に装着する事で容器と一体になり計量時に零れる事がない。【０００９】流動体は必ず計量器を越して使用するので計量する物が塩分、カロリーを含む物であるとすると使用している間に塩分、カロリーの摂取量に関心を持つようになる可能性がある。
【発明を実施するための最良の形態】
【００１０】本発明の形態を図１〜図６に基づいて説明する。計量器付きの蓋は一般に使用されているプラスチック、ガラス瓶、金属製等の容器の蓋に略Ｕ字状の通路を形成して容器１を水平に載置した際に形成される通路先端部の一定容量の空間を計量部９とし、通路の最終端である排出口１１より排出を行う。
計量する物は液体、トマトケチャップのような比較的粘度の低い粘性体、サラサラした粉体等の流動体で通路の形と大きさは計量する物によって異なる。図１、図２、図３、図４は液体とサラサラした粉体を測定するのに適している。図６はトマトケチャップのような比較的粘度の低い粘性体の測定に適していて全体を同じ太さの通路としている。【００１１】図１は計量部９が楕円形の計量器がついた蓋を容器に装着した側面図である。容器１に装着する蓋２は一般に使用されている容器の蓋で材質は手に普通に持って変形する事がない硬さの一般に使用されているプラスチック等である。容器１に嵌める方法はネジ状で回して嵌める物や押しこんで嵌める物等がある。蓋２の大きさは容器１の使用目的、取りだし方法により異なる。
計量器付きの蓋は一般の容器に使用されている蓋の上部を取り除いて周囲上縁３から計量部９につながる接続部４と可動部５、６を形成している。接続部４から流動体である液体又は粉が可動部５、６を経て計量部９に入り量が決まると排出口１１より排出できる仕組みとしている。【００１２】図２は可動部５が屈曲している側面図である。可動部下壁８は接続部下部より数ｍｍ〜数ｃｍの高さにあり、可動出来る幅を持って計量部に続く。図１図２の可動部５は形を保持できる程度の硬さがあり力を加えると変形する柔らかさがある。図１は可動部５に力が加わっていない計測可能な状態であり可動部下壁８は２ｍｍ〜３ｍｍ位の幅で上壁７に近づくに従って扇状に広くなり図２のように接続部側に屈曲して計量部９を９０度以上持ち上げるための幅を持つ。
図３図４の可動部６は蛇腹よりなる。蛇腹は上下に動かす事が可能であり、計量部９を９０度以上起こす事が出来る可動範囲を持つ。蛇腹を接続部側に対して計量部側を高めに取りつける事により液体又は粉が容器１に移動し易くなる。９０度以上計量部９を起こす事で目的とする量以上に液体又は粉が入った時は容易に容器に移動するため測定がスムースになる。
液体の場合、例えば大さじ一杯を計量器一杯とすると可動部下壁の計量器側最上部まで溜まって水平線２０に水平の状態は大さじ一杯の状態である。液体又は粉が容器１と計量部９の間を移動する事により計量が出来るので可動部の空間は１ｃｍ〜１．５ｃｍくらい空いていなければならない。更に計測をスムースに行うには液漏れがしない程度の空気孔２１が必要であり、空気孔２１はネジの付いた蓋２２を装着して空気量を調節するとよい。【００１３】蓋体の材質はプラスチックでキャラクター、人形、動物等の装飾物１９の特徴を引き出す為や計量する物とのコントラストをつける為には着色も可能であるが計量部９は量を確認するために透明もしくは半透明が望ましい。
排出部１０は計量部９の底部外端にあり蓋のある排出口１１を持つ。測定する時は排出口１１を閉じて容器１を倒すように持ち上げて、液体又は粉を計量部９に注ぐ。計量部９がいっぱいになりしだい、容器１を垂直に立てると液体の場合はオーバーした量が自然に容器１に戻り一定量になる。粉は軽く振動を与えると余分な量は容器１に落ちる為に一定量になる。【００１４】計量部９の大きさは液体又は粉の種類により異なる。例えば料理に使用する調味料であれば計量部９一杯が大さじ一杯とすると使いやすい。そして計量スプーンには中さじ、小さじとあるので計量部９に中さじ、小さじ量の印をつけると大さじ、中さじ、小さじを兼ねる事が出来る。中さじ、小さじの量はポトポトと少しずつ計量部９に入れて計測するとよい。入れ過ぎた場合は計量部９を持ち上げて容器に１戻すとよい。又、コーヒーはコップにいれるスプーン一杯量を計量部９の一杯量とすると使いやすい。
計量器は容積の測定をすると共に含まれる塩分量等も測る事が出来る。例えば普通に使用する醤油であれば大さじ一杯の塩分量約２．５ｇ、ウスターソースは大さじ一杯の塩分量約１．４ｇ、油は大さじ一杯約１２５Ｋｃａｌと測定できるので塩分、カロリーの摂取量の目安となり健康管理に役立つ。計量器の付いた蓋は固まる物や粘調度の高い物等は使用が難しいがこれらを避ければ図１〜図４の計量器は液体又は粉であれば制限なく使用出来るのでそれぞれの容器１に付けておくと便利である。【００１５】図３は外側にキャラクターの装飾物１９を固定した計量器がついた蓋の側面図である。蓋体はキャラクター、人形、動物の形等可能である。キャラクター、人形の形をした装飾物１９は思わず「かわいい」と思い、動物の形をした物は心が和むものである。計量する液体又は粉の量は例えば大さじ一杯１５ｃｃ、つゆは５０ｃｃ、コーヒーではスプーン一杯と少量で計量部全体は２ｃｍ〜５ｃｍ前後の丸みをおびた物で外側がキャラクター、人形、動物等の形でやや大きくなっても蓋に固定されているので場所をとる事はない。又、装飾物１９は着色があっても計量部９は透明もしくは半透明で滑らかなのがよいので、わずかな窪み又は突出により形を描くとよい。【００１６】図４は計量部を高くしている側面図である。装飾物１９は計量器全体でなくてもよく、接続部だけとか、図４のように計量部のみでもよいので装飾物により使い分けるとよい。装飾物１９をつけた場合、排出部１０の長さは装飾物１９と計量部９の間の隙間１３が広いと長くなり狭いと短くなる。隙間が殆どない場合は１ｃｍ〜１．５ｃｍ程度の長さでよいが装飾物１９が図３、図４のような場合は１．５ｃｍ〜２．５ｃｍ位の長さがないと醤油等は料理の上に上手にかけられない。【００１７】計量部９から排出口１１に液体又は粉が残らないように移行するには滑らかな作りがよい。そしてスムースに排出し、排出口の蓋１５の操作を容易にするには計量部９の低部外端に排出部を設けるとよい。排出口１１の大きさは中に入れる液体又は粉により異なる。例えば、さらさらした液体の醤油、酢等は３ｍｍ〜５ｍｍ前後でよいが油等の軽度粘調のある物は５ｍｍ〜１ｃｍの大きさ、コーヒー等の粉は１ｃｍ位がさっと出てよい。排出部１０の材質は計量部９と同じでよい。【００１８】計量部９の底部外端の位置に排出部１０を設けると液体又は粉の流出状態がよく見えると共に容器１を汚染しない。容器１に排出口１１が近くなると例えば底部中央にすると排出する時に液体又は粉と容器１の間が狭いので容器１を汚す原因になる。同時に容器１との間が狭いので流出状態が見えにくく使い難い。又、排出口１１を底部より高い位置にすると容器１を横に倒さないと排出が難しく底部まできれいに排出する事が出来ない。【００１９】図５は排出部１０と排出口の蓋１５の断面図である。排出口１１を塞ぐ蓋１５はプラスチックの硬めの材質がよい。蓋１５の先端は一部が段差部分１２に固定され、固定部反対側の先端は蓋１５を開ける時、指先が引っかかるように３ｍｍ程度の鍔１８が付いている。鍔１８が付いて更に固定がしてある事で操作が容易になり、料理によっては２〜３回計量を必要とするが指先の感触で蓋１５の開け閉めが出来るので早い。蓋１５の底には排出口１１に嵌る栓１６があり栓１６の周囲と蓋の側面との間に排出口の先が嵌る溝１７があり液漏れを防ぐ。【００２０】図６は粘性体を測定する計量器が付いた蓋を容器に装着した側面図である。トマトケチャップのような粘性体は容器１に手で圧を加えないと排出しないし、計量後も計量部９より排出しにくい。その為容器１から押し出したトマトケチャップがスムースに計量部９に移動して、排出するには全体が同じ大きさの通路であるのがよく、屈曲も緩やかで排出口１１も同じ大きさであるのがよい。トマトケチャップは計量にやや時間を要するので計量器の周囲を指先ではじく等して刺激をあたえるとよい。
【図面の簡単な説明】
【００２１】
【図１】  計量部が楕円形の計量器がついた蓋を容器に装着した側面図
【図２】  可動部が屈曲している側面図
【図３】  外側にキャラクターの装飾物を固定した計量器がついた蓋の側面図
【図４】  計量部を高くしている側面図
【図５】  排出部と排出口の蓋の断面図
【図６】  粘性体を測定する計量器が付いた蓋を容器に装着した側面図
【符号の説明】
【００２２】１  容器
２  容器の上端に付く蓋
３  蓋の上縁
４  接続部
５  形を保持出来る程度の硬さがあり力を加えると変形する柔らかさのある可動部
６  蛇腹の可動部
７  可動部上壁
８  可動部下壁
９  計量部
１０  排出部
１１  排出口
１２  段差部分
１３  装飾物と計量器の隙間
１４  排出口の蓋の固定部
１５  排出口の蓋
１６  排出口に嵌る栓
１７  排出口の先がはまる溝
１８  蓋の先端の鍔
１９  装飾物
２０  水平線
２１  空気孔
２２  空気孔の蓋
【図１】
2008044670.tif 000003
【図２】
2008044670.tif 000004
【図３】
2008044670.tif 000005
【図４】
2008044670.tif 000006
【図５】
2008044670.tif 000007
【図６】
2008044670.tif 000008